(57)【要約】      （修正有）【訣題】履物用中敷にあって、その表面に足裏を刺激する突起を設ける場合に、突起が脱落しにくく、使用勝手の良好な履物用中敷を提供する。【解決手段】履物用中敷Ｉは、  複数の穴１ａ又は凹部を有する柔軟性及び弾性を有する中敷本体１と、複数の穴１ａ又は凹部の内壁に食い込んで係止される係止部を有すると共に、中敷本体１より突出して、足裏を刺激する複数の突出部材２とを備えているものである。【選択図】図１
0003152586.tif 000002
【実用新案登録請求の範囲】
【請求項１】
複数の穴又は凹部を有する柔軟性及び弾性を有する中敷本体と、
前記複数の穴又は凹部の内壁に食い込んで係止される係止部を有すると共に、前記中敷本体の表面より突出して、足裏を刺激する複数の突出部材とを備えている
ことを特徴とする履物用中敷。        
【請求項２】
穴の形状は平面視略円形で、
係止部は、中敷本体の表面から裏面に向かう側の先端に該先端に向かって先細りとなる傾斜面を有した円盤状であり、
この円盤状の前記係止部の断面径は、前記穴の径より大きい
ことを特徴とする請求項１記載の履物用中敷。
【請求項３】
凹部の開口の形状は平面視略円形で、
前記係止部は、中敷本体の表面から裏面に向かう側の先端に該先端に向かって先細りとなる傾斜面を有した円盤状であり、
この円盤状の前記係止部の断面径は、前記凹部の開口の径より大きい
ことを特徴とする請求項１記載の履物用中敷。
【請求項４】
穴に係止された突出部材は、
中敷本体の表面から裏面に向かう側の先端に該先端に向かって先細りとなる傾斜面を有した円盤状の係止部と、
前記中敷本体の裏面から表面に向かう側の先端に該先端が半球状を有した円柱状部と、
この円柱状部と前記円盤状の係止部との間に前記円柱状部の断面径及び前記円盤状の係止部の断面径より径小となる断面径を有する径小部とを備え、
前記円柱状部の断面径及び前記円盤状の係止部の断面径は、前記穴の径より大きい
ことを特徴とする請求項１記載の履物用中敷。
【請求項５】
凹部に係止された突出部材は、
中敷本体の表面から裏面に向かう側の先端に該先端に向かって先細りとなる傾斜面を有した円盤状の係止部と、
前記中敷本体の裏面から表面に向かう側の先端に該先端が半球状を有した円柱状部と、
この円柱状部と前記円盤状の係止部との間に前記円柱状部の断面径及び前記円盤状の係止部の断面径より径小となる断面径を有する径小部とを備え、
前記凹部の開口の形状は平面視略円形で、前記円盤状の係止部の断面径は、前記凹部の開口の径より大きい
ことを特徴とする請求項１記載の履物用中敷。
【考案の詳細な説明】
【技術分野】
【０００１】
本考案は、履物用中敷に係り、特に、使用勝手の良好な履物用中敷に関する。
【背景技術】
【０００２】
履物用中敷に複数の穴を設け、該穴に突起を適宜の位置に挿入するものがある（例えば、特許文献１参照）。
この履物用中敷にあっては、歩行中に、上記突起により利用者の足の裏を刺激すると共に、突起の位置を利用者に合わせることができる利便性を有している。
また、中敷の表面全面に平面ファスナーを貼付け、該平面ファスナーの壷位置と思われる複数箇所に大小の突起を移動および交換取り外し自在に取り付け、中敷の表面全体を布カバーで覆うようにした履物用中敷がある（例えば、特許文献２参照）。
【先行技術文献】
【特許文献】
【０００３】
【特許文献１】実用新案登録第３００５３６７号公報  図１及び図５
【特許文献２】特開２００１−２０６号公報  図１及び図２
【考案の概要】
【考案が解決しようとする課題】
【０００４】
しかしながら、特許文献１記載の履物用中敷にあっては、突起を履物用中敷の裏面側から穴に挿入する構成となっているため、突起の位置を決めた履物用中敷を持って履物に入れようとすれば、履物用中敷の裏面側から突起が脱落し易く、これを防ぐには、履物用中敷の裏面側から手等で突起を支持しなければならず、利便性が良好でないという問題点が生じた。
この問題点は、特許文献２記載の履物用中敷において、改善されるが、しかし、特許文献２記載の履物用中敷にあっては、中敷の表面全体を布カバーで覆わなければならず、
作業が面倒で、使用勝手が悪いと共に、新たに、布カバーをも必要とする問題点が生じた。
【０００５】
本考案は、上記の問題点を除去するようにした履物用中敷を提供することを目的とする。
【課題を解決するための手段】
【０００６】
請求項１記載の履物用中敷は、複数の穴又は凹部を有する柔軟性及び弾性を有する中敷本体と、前記複数の穴又は凹部の内壁に食い込んで係止される係止部を有すると共に、前記中敷本体の表面より突出して、足裏を刺激する複数の突出部材とを備えているものである。
【０００７】
また、請求項２記載の履物用中敷は、請求項１記載の履物用中敷において、穴の形状は平面視略円形で、係止部は、中敷本体の表面から裏面に向かう側の先端に該先端に向かって先細りとなる傾斜面を有した円盤状であり、この円盤状の前記係止部の断面径は、前記穴の径より大きいものである。
【０００８】
また、請求項３記載の履物用中敷は、請求項１記載の履物用中敷において、凹部の開口の形状は平面視略円形で、前記係止部は、中敷本体の表面から裏面に向かう側の先端に該先端に向かって先細りとなる傾斜面を有した円盤状であり、この円盤状の前記係止部の断面径は、前記凹部の開口の径より大きいものである。
【０００９】
また、請求項４記載の履物用中敷は、請求項１記載の履物用中敷において、穴に係止された突出部材は、中敷本体の表面から裏面に向かう側の先端に該先端に向かって先細りとなる傾斜面を有した円盤状の係止部と、前記中敷本体の裏面から表面に向かう側の先端に該先端が半球状を有した円柱状部と、この円柱状部と前記円盤状の係止部との間に前記円柱状部の断面径及び前記円盤状の係止部の断面径より径小となる断面径を有する径小部とを備え、前記円柱状部の断面径及び前記円盤状の係止部の断面径は、前記穴の径より大きいものである。
【００１０】
また、請求項５記載の履物用中敷は、請求項１記載の履物用中敷において、凹部に係止された突出部材は、中敷本体の表面から裏面に向かう側の先端に該先端に向かって先細りとなる傾斜面を有した円盤状の係止部と、前記中敷本体の裏面から表面に向かう側の先端に該先端が半球状を有した円柱状部と、この円柱状部と前記円盤状の係止部との間に前記円柱状部の断面径及び前記円盤状の係止部の断面径より径小となる断面径を有する径小部とを備え、前記凹部の開口の形状は平面視略円形で、前記円盤状の係止部の断面径は、前記凹部の開口の径より大きいものである。
【考案の効果】
【００１１】
請求項１記載の履物用中敷によれば、突出部材を穴又は凹部に挿入した後は、中敷本体の弾性により、係止部は穴又は凹部の内壁に食い込んで係止されるため、突出部材は中敷本体から離脱しにくく、使用勝手の良好な足裏を刺激する「履物用中敷」を得ることができる。
【００１２】
また、請求項２記載の履物用中敷によれば、突出部材の先端は先細りとなる傾斜面であるため、突出部材を中敷本体の穴の内壁に挿入し易く、しかも、挿入した後は、中敷本体の弾性により、前記傾斜面は穴の内壁に食い込んで係止されるため、突出部材は中敷本体から離脱しにくく、使用勝手の良好な足裏を刺激する「履物用中敷」を得ることができる。
【００１３】
また、請求項３記載の履物用中敷によれば、突出部材の先端は先細りとなる傾斜面であるため、突出部材を中敷本体の凹部の内壁に挿入し易く、しかも、挿入した後は、中敷本体の弾性により、前記傾斜面は凹部の内壁に食い込んで係止されるため、突出部材は中敷本体から離脱しにくく、使用勝手の良好な足裏を刺激する「履物用中敷」を得ることができる。
【００１４】
また、請求項４記載の履物用中敷によれば、突出部材の先端は先細りとなる傾斜面を有した円盤状の係止部であるため、突出部材を中敷本体の穴の内壁に挿入し易く、しかも、挿入した後は、中敷本体の弾性により、傾斜面を有した円盤状の係止部は穴の内壁に食い込んで係止されるため、突出部材は中敷本体から離脱しにくく、使用勝手の良好な足裏を刺激する「履物用中敷」を得ることができ、更に、円柱状部と円盤状の係止部との間に円柱状部の断面径及び円盤状の係止部の断面径より径小となる断面径を有する径小部とを備えているため、径小部と円盤状の係止部との境界部が抵抗となり、突出部材が中敷本体からより離脱しにくい等の効果を有する。
【００１５】
また、請求項５記載の履物用中敷によれば、突出部材の先端は先細りとなる傾斜面を有した円盤状の係止部であるため、突出部材を中敷本体の凹部の内壁に挿入し易く、しかも、挿入した後は、中敷本体の弾性により、傾斜面を有した円盤状の係止部は凹部の内壁に食い込んで係止されるため、突出部材は中敷本体から離脱しにくく、使用勝手の良好な足裏を刺激する「履物用中敷」を得ることができ、更に、円柱状部と円盤状の係止部との間に円柱状部の断面径及び円盤状の係止部の断面径より径小となる断面径を有する径小部とを備えているため、該径小部と円盤状の係止部との境界部が抵抗となり、突出部材が中敷本体からより離脱しにくい等の効果を有する。
【図面の簡単な説明】
【００１６】
【図１】図１は、本考案の一実施例の履物用中敷の穴に突出部材が挿入する前の状態の概略的平面図である。
【図２】図２は、図１の履物用中敷の穴に突出部材が挿入された状態の概略的平面図である。
【図３】図３は、図２の履物用中敷の概略的左側面図である。
【図４】図４（ａ）は、履物用中敷の穴に高さが低い方の突出部材が挿入される前の状態の概略的断面図であり、図４（ｂ）は、図４（ａ）の突出部材が履物用中敷の穴に挿入された状態の概略的断面図である。
【図５】図５（ａ）は、履物用中敷の穴に高さが高い方の突出部材が挿入される前の状態の概略的断面図であり、図５（ｂ）は、図５（ａ）の突出部材が履物用中敷の穴に挿入された状態の概略的断面図である。
【考案を実施するための形態】
【００１７】
本考案の一実施例の履物用中敷を図面を参照して説明する。
図１に示すＩは履物用中敷で、履物用中敷Ｉは、複数の穴１ａを有する柔軟性及び弾性を有する中敷本体１を備えている。
この中敷本体１は、例えば、ＥＶＡスポンジ層１１と、このＥＶＡスポンジ層１１上に積層されたＰＶＣ合成樹脂層１２とを有する（図４及び図５参照）。
【００１８】
２は、複数の穴１ａの内、使用者が適宜の複数の穴１ａの内壁に食い込んで係止される係止部を有する突出部材で、突出部材２の内、２１は高さが高い方の突出部材（高さＨ）で、２２は高さが低い方の突出部材（高さｈ  Ｈ＞ｈ）である。高さが異なる突出部材２の識別を容易にするために、例えば、高さが高い方の突出部材２１をブルー、低い方の突出部材２２をピンクとしても良い。
そして、突出部材２は、中敷本体１より突出して（図３参照）、足裏を刺激するもので、複数ある。なお、穴１ａの形状は平面視略円形である。
また、穴１ａに係止された突出部材２は、図４及び図５に示すように、中敷本体１の表面から裏面に向かう側の先端に該先端に向かって先細りとなる傾斜面Ｋを有した円盤状の係止部２ａと、中敷本体１の裏面から表面に向かう側の先端に該先端が半球状Ｓを有した円柱状部２ｂと、この円柱状部２ｂと円盤状の係止部２ａとの間に円柱状部２ｂの断面径Ｒ２及び円盤状の係止部２ａの断面径Ｒ１より径小となる断面径Ｒ３を有する径小部２ｃとを備えている。そして、円盤状の係止部２ａの断面径Ｒ１及び円柱状部２ｂの断面径Ｒ２は、穴１ａの径ｒより大きくなっている。
【００１９】
従って、上述の履物用中敷Ｉによれば、突出部材２の先端は先細りとなる傾斜面Ｋを有した円盤状の係止部２ａであるため、突出部材２を中敷本体１の穴１ａの内壁に挿入し易く、しかも、挿入した後は、中敷本体１の弾性により、傾斜面Ｋを有した円盤状の係止部２ａは穴１ａの内壁に食い込んで係止されるため[図４（ｂ）  図５（ｂ）参照]、突出部材２は中敷本体１から離脱しにくく、使用勝手の良好な足裏を刺激する「履物用中敷I」を得ることができ、更に、円柱状部２ｂと円盤状の係止部２ａとの間に円柱状部２ｂの断面径Ｒ２及び円盤状の係止部部２ａの断面径Ｒ１より径小となる断面径Ｒ３を有する径小部２ｃとを備えているため、該径小部２ｃと円盤状の係止部２ａとの境界部Ｘ[図４（ａ）  図５（ａ）参照]が抵抗となり、突出部材２が中敷本体１からより離脱しにくい等の効果を有する。
【００２０】
なお、上述した実施例において、突出部材２が係止するものを穴１ａとしたが、本考案にあっては、これに限らず、貫通していない凹部（図示せず）にも同様に適用することができるものである。
【符号の説明】
【００２１】
Ｉ      履物用中敷
１      中敷本体
１ａ    穴
２      突出部材
２ａ    係止部
【図１】
0003152586.tif 000003
【図２】
0003152586.tif 000004
【図３】
0003152586.tif 000005
【図４】
0003152586.tif 000006
【図５】
0003152586.tif 000007